(57)【特許請求の範囲】
【請求項１】
巻上げノブの回転操作によりフィルムを巻き上げ、前記巻上げノブの逆回転を防止する逆転防止爪を前記巻上げノブに係合させたカメラにおいて、
前記逆転防止爪と係合する腕部を有し、前記巻上げノブと所定の摩擦力にて滑合することにより前記巻上げノブと一体的に回動し、前記巻上げノブの回転操作に伴い前記腕部にて前記逆転防止爪を退避させ、前記巻上げノブとの係合を解除する解除部材を備えたことを特徴とするカメラ。
【請求項２】
巻上げノブの回転操作によりフィルムを巻き上げ、前記巻上げノブの逆回転を防止する逆転防止爪を前記巻上げノブに係合させたカメラにおいて、
前記逆転防止爪と係合する腕部を有し、前記巻上げノブの回転操作時に撮影者の指にて共に回動させることにより前記腕部にて前記逆転防止爪を退避させ、前記巻上げノブとの係合を解除する解除部材を備えたことを特徴とするカメラ。
【請求項３】
前記巻上げノブの回転操作によるフィルムを巻き上げ時に、前記解除部材の回動を所定の範囲で規制する規制部材を設けたことを特徴とする請求項１又は請求項２に記載のカメラ。
【発明の詳細な説明】
【０００１】
【産業上の利用分野】
本願発明は、巻上げノブの回転操作によりフィルムを巻き上げるカメラに関し、詳しくはフィルム巻上げ時における静音化対策に関し、特に簡易カメラ若しくはレンズ付きフィルムユニットに好適である。
【０００２】
【従来の技術】
従来の巻上げノブを用いた手動巻上げの簡易カメラやレンズ付きフィルムユニットにおいては、巻上げノブの回転操作によりフィルムを巻き上げる巻上げノブの外周を鋸歯状に形成し、これに樹脂若しくは金属からなる板バネを係合させ、巻上げノブがフィルム巻上げ方向の一方向のみに回転し得る、所謂ラチェット機構に構成していた。このように構成することにより、巻上げノブと係合する巻き取り軸に巻かれたフィルムがフィルムのテンションにより巻き戻ることを防止し、その結果、撮影画面のズレを防止することによって、隣合う撮影画面が重複するといった重大な問題の発生を防止していた。
【０００３】
【発明が解決しようとする課題】
しかしながら、従来の巻上げノブを用いた手動巻上げの簡易カメラやレンズ付きフィルムユニットの巻上げ機構は前述の如きラチェット機構を用いているため、フィルム巻上げ時に板バネが巻上げノブの鋸歯状の山を越える度に振動音が発生して耳障りである。従って、静粛が求められる場所においては、このような構成のカメラやレンズ付きフィルムユニットを使用するのがためらわれた。
【０００４】
本願発明はかかる問題に鑑み、フィルム巻上げ時に簡単な構成で上記の振動音が発生せず、特に安価な簡易カメラやレンズ付きフィルムユニットに好適であるカメラを提案するものである。
【０００５】
【課題を解決するための手段】
上記課題は、巻上げノブの回転操作によりフィルムを巻き上げ、前記巻上げノブの逆回転を防止する逆転防止爪を前記巻上げノブに係合させたカメラにおいて、前記逆転防止爪と係合する腕部を有し、前記巻上げノブと所定の摩擦力にて滑合することにより前記巻上げノブと一体的に回動し、前記巻上げノブの回転操作に伴い前記腕部にて前記逆転防止爪を退避させ、前記巻上げノブとの係合を解除する解除部材を備えたことを特徴とするカメラ、により達成される。
【０００６】
更に、上記課題は、巻上げノブの回転操作によりフィルムを巻き上げ、前記巻上げノブの逆回転を防止する逆転防止爪を前記巻上げノブに係合させたカメラにおいて、前記逆転防止爪と係合する腕部を有し、前記巻上げノブの回転操作時に撮影者の指にて共に回動させることにより前記腕部にて前記逆転防止爪を退避させ、前記巻上げノブとの係合を解除する解除部材を備えたことを特徴とするカメラ、により達成される。
【０００８】
【発明の実施の形態】
本願発明におけるカメラの実施の形態を図１乃至図２０に基づき、詳細に説明するが、本実施の形態においては本願発明をレンズ付きフィルムユニットに用いた実施の形態について説明する。
【０００９】
なお、本願発明のカメラの範疇には巻上げノブを用いたカメラは全て含まれ、フィルム交換のできる通常のカメラも含まれるが、レンズ付きフィルムユニットが最も適している。
【００１０】
先ず、本願発明のレンズ付きフィルムユニットを図１及び図２により説明する。図１はレンズ付きフィルムユニットを前方から見た斜視図であり、図２はレンズ付きフィルムユニットを後方から見た斜視図である。
【００１１】
レンズ付きフィルムユニット１は、樹脂成型された前カバー、本体、裏蓋等から構成され、撮影レンズ、シャッタ、巻上げ機構、ストロボユニット等が本体に取り付けられる。また、未露光フィルムを収納したパトローネを装填し、フィルムをスプール室に巻き取った状態で出荷される。
【００１２】
図１において、レンズ付きフィルムユニット１の前面側には、前カバー１０、レンズマウント１１に組み込まれた撮影レンズ１２、ファインダ対物レンズ窓１３、ストロボ発光部１４が設けられ、上面側にはシャッタレリーズ釦１５、フィルムカウンタ窓１６、ストロボ充電ランプ窓１７が設けられている。また、図２において、レンズ付きフィルムユニット１の背面側には、巻上げノブ１８、ファインダ接眼レンズ窓１９、裏蓋２０が設けられている。
【００１３】
更に、レンズ付きフィルムユニット１は紙カバー２１により被覆されている。紙カバー２１は厚紙を折り曲げて接着したものであり、穿設された透孔により、レンズマウント１１、ファインダ対物レンズ窓１３、ストロボ発光部１４、フィルムカウンタ窓１６、ストロボ充電ランプ窓１７、ファインダ接眼レンズ窓１９が露出している。また、紙カバー２１の背面には図示していないが、レンズ付きフィルムユニットの簡単な使用説明が記載されている。
【００１４】
ここで、フィルム巻上げを行うときは、図２に示したレンズ付きフィルムユニット１を背面より右手で保持し、巻上げノブ１８の側面に形成された鋸歯１８ａを右手親指の腹で圧着しながら、上面から見て反時計方向に回転させる。
【００１５】
また、この巻上げノブ１８の逆回転を防止する従来の機構について図３により説明する。図３（Ａ）は平面図、図３（Ｂ）は縦断面図である。前述の如く巻上げノブ１８の側面に形成された鋸歯１８ａを右手親指で反時計方向の矢印Ａ方向に圧着しながら、矢印Ｂ方向に回転させる。鋸歯１８ａは親指の腹に食い付き、滑ることなく回転できる。一方、巻上げノブ１８の下部にはパトローネＰと係合する係合部１８ｂがあり、巻上げノブ１８の回転により図示していないパトローネＰ内の巻き取り軸にフィルムを巻き取る。更に、フィルムのテンションにより巻き戻ることを防止するため、樹脂若しくは金属から形成された板バネからなる逆転防止爪２５を巻上げノブ１８の鋸歯１８ａに係合させてある。なお、レンズ付きフィルムユニットの本体が樹脂製の場合には、逆転防止爪２５を本体と一体成形することができる。従って、巻上げノブ１８を時計方向に逆回転させようとしても、逆転防止爪２５で突っ張り、逆回転はできない。
【００１６】
しかし、このような従来の機構において、巻上げノブ１８を回転させてフィルムを巻き上げるとき、逆転防止爪２５の先端が鋸歯１８ａの谷から山を越えるとき、振動音が発生して耳障りになる。
【００１７】
この振動音をなくす実施の態様を以下に示す。
【００１８】
〔第１の実施の態様〕
第１の実施の態様を図４及び図５に示す。図４はフィルム巻上げ中の巻上げノブ等の図にて、図４（Ａ）は平面図、図４（Ｂ）は縦断面図であり、図５は解除部材の他の実施の形態である。
【００１９】
巻上げ前には、巻上げノブ３１と逆転防止爪３２は図３の如き状態で係合している。次に巻上げノブ３１を反時計方向である矢印方向に回転させると、巻上げノブ３１の上部の軸３１ｂで所定の摩擦力で滑合している解除部材３３も同方向に回転する。すると、解除部材３３に設けた腕部３３ａの先端で逆転防止爪３２を時計方向に変形させ、逆転防止爪３２を退避させることにより巻上げノブ３１の側面に設けた鋸歯３１ａとの係合を解除させる。従って、フィルム巻上げ中は逆転防止爪３２により振動音が発生しない。
【００２０】
なお、解除部材３３には第２の腕部３３ｂが設けられ、腕部３３ａが逆転防止爪３２を退避させた後は、カメラ本体等に立設したストッパーピン３４と腕部３３ｂが当接し、解除部材３３は所定の範囲の回動後に停止するので、逆転防止爪３２を必要以上に押圧して永久変形させることがない。
【００２１】
従って、巻上げの最初は巻上げノブ３１の回転に伴い解除部材３３も回動するが、解除部材３３が腕部３３ｂとストッパーピン３４により回転を規制されて停止した後は、巻上げノブ３１のみを回転させることとなる。
【００２２】
なお、ストッパーピンを逆転防止爪３２の背面に設けてもよい。
【００２３】
巻上げノブ３１を所定の角度で回転させ、フィルム１駒の巻上げが終了すると、巻上げノブ３１より指を離すので、巻上げノブ３１は回転力を有しない。従って、逆転防止爪３２の反力により解除部材３３と共に巻上げノブ３１は僅かに逆回転し、再度逆転防止爪３２の先端が巻上げノブ３１の鋸歯３１ａと係合するので、これ以上巻上げノブ３１が逆回転することはない。
【００２４】
また、上記の解除部材３３は切り欠き部３３ｃを有し、軸３１ｂよりやや小さい内径を有するように形成した後、軸３１ｂにはめ込んで所定の摩擦力で滑合させているが、切り欠き部の代わりに図５に示す如く、折り曲げ状の形状にして所定の摩擦力を発生させてもよい。
【００２５】
なお、以上の実施の態様においては、巻上げノブ３１と解除部材３３との軸摩擦で滑合させたが、軸摩擦に限らず、解除部材３３の端面を用いた面摩擦で滑合させてもよい。
【００２６】
更に、解除部材３３の回転を腕部３３ｂとストッパーピン３４により規制したが、腕部３３ｂを設けずに腕部３３ａが直接当接するストッパーピンを設けて規制してもよい。
【００２７】
〔第２の実施の態様〕
第２の実施の態様を図６に示す。図６はフィルム巻上げ中の巻上げノブ等の平面図である。
【００２８】
本実施の態様における巻上げノブ４１と逆転防止爪４２との関係は、第１の実施の態様と同一である。また、腕部４３ａを有する解除部材４３が巻上げノブ４１と滑合している点も類似している。しかし、第１の実施の態様において、解除部材３３が摩擦力により回転したのに対し、本実施の態様においては解除部材４３は撮影者により回転させられる。即ち、フィルム巻上げ時に撮影者が指で巻上げノブを矢印方向に回転させるが、同時に解除部材４３の操作部４３ｂも指に当てて回転させ、解除部材４３の腕部４３ａにより逆転防止爪４２を退避させて、巻上げノブ４１の鋸歯４１ａとの係合を解除させる。従って、フィルム巻上げ中は逆転防止爪４２により振動音が発生しない。なお、解除部材４３の操作部４３ｂは厚み方向で巻上げノブ４１の鋸歯４１ａと隣接して設けられているので、意識しなくても指の腹で鋸歯４１ａと同時に操作部４３ｂに圧着する。
【００２９】
なお、本実施の態様においては人手で解除部材４３を回転させるので、特に解除部材４３を所定の範囲で規制する規制部材が必要であり、解除部材４３に設けた第２の腕部４３ｃをストッパーピン４４と当接させている。
【００３０】
また、巻上げ中の巻上げノブ４１と解除部材４３の双方を回転させる方向に指を移動させるが、解除部材４３はストッパーピン４４により所定の角度以上回転しないので、解除部材４３は指の腹を滑ることになる。
【００３１】
更に、巻上げノブ４１を所定の角度で回転させ、フィルム巻上げが終了すると、巻上げノブ４１及び解除部材４３の操作部４３ｂより指を離すので、逆転防止爪４２の反力により解除部材４３は時計方向に回転させられるが、巻上げノブ４１と解除部材４３との関係を第１の実施の態様の如き摩擦滑合でなく、互いに滑面にしておけば、巻上げノブ４１は逆回転しない。従って、逆転防止爪４２の先端が再び鋸歯４１ａに係合して、巻上げノブ４１の逆回転は防止される。
【００３２】
更に、解除部材４３の回転を腕部４３ｃとストッパーピン４４により規制したが、腕部４３ｃを設けずに腕部４３ａが直接当接するストッパーピンを設けて規制してもよい。
【００３３】
この実施態様について、巻上げノブを回転させて巻上げを行ったところ、殆ど音はせず、１コマの巻上げ終了時における巻上げ停止の際に発生する機構音が聞こえる程度であった。
【００３４】
また実際に、巻上げ停止の際に発生する機構音が出る前の巻上げノブの回転に伴う音の騒音レベルの最大値を、通常の使用で想定される、巻上げノブの早い回転による巻上げ、中間の回転速さの巻上げ、遅い回転速さによる巻上げについてそれぞれ５回づつ、積分形普通騒音計  ＮＬ−０２Ａ（リオン株式会社製）により、レンズ付きフィルムユニットの正面から垂直方向に１５ｃｍ離れたところに検出部を位置させて測定したところ、４９ｄＢ〜５２ｄＢの間であった。
【００３５】
また、同様の測定を現在市販されているレンズ付きフィルムユニットについても行ったところ、６５ｄＢ〜７３ｄＢと本実施の態様に比べて高い値であった。巻上げ音はその音質にもよるが、騒音レベルの最大値が６０ｄＢ以下であれば音質に関係なく静かだと感じられる。また、５５ｄＢ以下となるとほとんど巻上げ音が聞こえなくなり好ましい。
【００３６】
〔第３の実施の態様〕
第３の実施の態様を図７に示す。図７はフィルム巻上げ中の巻上げノブ等の平面図である。
【００３７】
本実施の態様における巻上げノブ５１と逆転防止爪５２との関係は、前に説明した実施の態様と同一である。しかし、本実施の態様においては、解除部材５３が軸５４を中心に回動する。即ち、巻上げ前には解除部材５３は２点鎖線で示すように、解除部材５３の操作部５３ｂが巻上げノブ５１より突出しており、解除部５３ｃが逆転防止爪５２より退避していて、逆転防止爪５２の先端が鋸歯５１ａに係合している。操作部５３ｂは鋸歯５１ａと厚み方向で隣接しているので、フィルムを巻き上げるべく鋸歯５１ａを指で回転させるときは、操作部５３ｂを押圧して解除部材５３を反時計方向に回動させる。すると、解除部５３ｃが逆転防止爪５２を押し出して退避させ、逆転防止爪５２と巻上げノブ５１との係合を解除させる。従って、操作部５３ｂを押したままで、フィルム巻上げを行うので、フィルム巻上げ中は逆転防止爪５２により振動音が発生しない。
【００３８】
また、フィルム巻上げが終了した後、指を操作部５３ｂより離せば、逆転防止爪５２の反力により解除部材５３は時計方向に回動し、逆転防止爪５２の先端が再び鋸歯５１ａに係合するので、巻上げノブ５１の逆回転は防止される。
【００３９】
〔第４の実施の態様〕
第４の実施の態様を図８に示す。図８はフィルム巻上げ中の巻上げノブ等の平面図である。
【００４０】
本実施の態様における巻上げノブ６１と逆転防止爪６２との関係は、前に説明した実施の態様と同様である。しかし、本実施の態様においては、フィルム給送により逆転防止爪６２と巻上げノブ６１との係合を解除する。即ち、巻上げノブ６１を巻き上げるとフィルムが給送し、フィルムの給送により図示してない８個の歯を有しているスプロケットが１駒分の給送で１回転するが、同時にこのスプロケットと一体的に構成されたカム部材６３も１回転する。カム部材６３にはカム６３ａが設けられているので、カム６３ａの回転により逆転防止爪６２を時計方向に押圧し、逆転防止爪６２を退避させ、鋸歯６１ａとの係合を解除する。従って、逆転防止爪６２を退避させたままで、フィルム巻上げを行うので、フィルム巻上げ中は逆転防止爪６２による振動音が発生しない。
【００４１】
また、カム部材６３はフィルムの１駒巻上げで１回転するように構成されているので、フィルム巻上げ終了後には、カム部材６３のカム６３ａは逆転防止爪６２を押圧しない状態になり、逆転防止爪６２の先端が再び鋸歯６１ａに係合するので、巻上げノブ６１の逆回転は防止される。
【００４２】
なお、カム部材６３には指数器駆動軸６３ｂが設けられ、指数器６４の指数器歯車６４ａを１駒ずつ回転させる。また、カム部材６３に更に別のカムを設け、シャッタチャージ等も行うことができる。
【００４３】
〔第５の実施の態様〕
第５の実施の態様を図９及び図１０に示す。図９及び図１０はフィルムを巻き上げる前の巻上げノブ等の平面図である。
【００４４】
本実施の態様における巻上げノブ７１と逆転防止爪７２との関係は、前に説明した実施の態様と同様である。しかし、本実施の態様においては、フィルム巻上げ時に巻上げノブ７１を押圧して、巻上げノブ７１を逆転防止爪７２から退避させるものである。
【００４５】
図９は巻上げノブ７１を回転中心方向に移動させ、逆転防止爪７２から退避可能なように、巻上げノブ７１の嵌合軸７１ｂが嵌合するカメラ本体の孔７０を長孔に穿設して間隙を設けた図である。また、巻上げノブの中央に設けた突部７１ｃと弾性的に形成されたレリーズ釦７５の側面と当接させ、巻上げノブ７１から手を離して巻上げノブ７１の押圧を解除したときは、レリーズ釦７５の時計方向の反力により巻上げノブ７１を原位置に復帰させる。
【００４６】
なお、このレリーズ釦７５は紙面に垂直な方向と矢印の方向に移動可能に構成されているが、レリーズ釦７５を用いずに通常の板バネ等からなる専用の付勢部材を用いて、巻上げノブ７１を原位置に復帰させてもよい。
【００４７】
図１０は巻上げノブ７１を回転方向の力によって図の右方向に移動させ、逆転防止爪７２から退避可能なように、巻上げノブ７１の嵌合軸７１ｂが嵌合するカメラ本体の孔７０を長孔に穿設して間隙を設けた図である。また前述と同様に、巻上げノブの中央に設けた突部７１ｃと前カバー７６の一部を弾性的に形成した弾性部７６ａと当接させ、巻上げノブ７１から手を離して巻上げノブ７１の回転を中止したときは、弾性部７６ａの反力により巻上げノブ７１を原位置に復帰させる。
【００４８】
なお、弾性部７６ａは必ずしも前カバー７６の一部である必要はなく、通常の板バネ等からなる専用の付勢部材を用いて、巻上げノブ７１を原位置に復帰させてもよい。
【００４９】
以上の如く、本実施の態様においては図９又は図１０の何れの場合でも巻上げ時には巻上げノブが移動して、逆転防止爪７２から退避するので、フィルム巻上げ中は逆転防止爪７２による振動音が発生しない。
【００５０】
〔第６の実施の態様〕
第６の実施の態様を図１１に示す。図１１は巻上げノブと逆転防止爪の平面図であり、フィルムを巻き上げる前と巻上げ途中で図に大差ない。
【００５１】
本実施の態様における巻上げノブ８１と逆転防止爪８２との関係は、前に説明した実施の態様と同様である。しかし、本実施の態様の逆転防止爪８２には、操作部８２ａが設けられ、巻上げ時に巻上げノブ８１と共に操作部８２ａが撮影者の指に当接するので、逆転防止爪８２が巻上げノブ８１の鋸歯８１ａの谷から山を越えるとき、振動が発生しても、その振動が操作部８２ａを介して撮影者の指で吸収するので、振動音がしても通常の振動音より遙に小さくなり、聞き苦しいことはない。
【００５２】
なお、逆転防止爪８２を樹脂製とし、本体と一体成形することもできる。
【００５３】
〔第７の実施の態様〕
第７の実施の態様を図１２乃至図１５に示す。本実施の態様は逆転防止爪を用いずに、巻上げノブを巻上げ方向にのみ無段階に回転させる一方向クラッチを巻上げノブに係合させることにより、巻上げノブの逆転防止を行う。従って、フィルム巻上げ中において従来の如き逆転防止爪による振動音の発生がない。
【００５４】
図１２は一方向クラッチの一つである楔クラッチに関する平面断面図、図１３は摩擦部材の１例の平面図、図１４はカムクラッチに関する平面図、図１５はスプリングクラッチに関する縦断面図である。
【００５５】
先ず、楔クラッチについて、図１２により説明する。巻上げノブ９１には鋸歯９１ａと同心の孔９１ｂが穿設され、孔９１ｂの中央には図の如くカム状に形成されたカメラ本体９２が設けられ、カメラ本体９２と孔９１ｂとの間隙には摩擦部材としてボール９３が配置されている。巻上げノブ９１を反時計方向である矢印の方向に回転させたとき、ボール９３も孔９１ａの内周の摩擦力によって同方向に回転し、本体９２と孔９１ｂとの間隙の広い方向に移動するので、ボール９３は何ら規制されることがない。従って、巻上げノブ９１は矢印の方向に自由に回転できる。
【００５６】
一方、巻上げノブ９１を時計方向に回転させたときは、ボール９３も孔９１ａの内周の摩擦力によって同方向に回転し、本体９２と孔９１ｂとの間隙が狭い、所謂楔状の方向に移動して固定され、その結果、巻上げノブ９１の回転も不可能になる。
【００５７】
従って、巻上げノブ９１はフィルム巻上げ方向にのみ回転可能で、逆転はできないので、従来の逆転防止爪と同様な作用をするばかりか、逆転防止爪の如き不快音もしない。
【００５８】
なお、摩擦部材としてボールに代えて、円柱状のコロを用いてもよいし、図１３の如く樹脂で一体成形された３個の球状若しくは円柱状の摩擦部材を用いてもよい。
【００５９】
更に、前述と逆に、巻上げノブ９１の内周をカム状に形成し、カメラ本体９２を同心の軸にしてもよい。
【００６０】
次に、カムクラッチについて、図１４により説明する。巻上げノブ１０１は鋸歯１０１ａより小さい外径１０１ｂの段差を有し、その外径１０１ｂにはカム板１０２を軸１０３にて回動自在に軸支し、付勢部材１０４によりカム板１０２の先端を外径１０１ｂに圧接している。このように構成することにより、巻上げノブ１０１を反時計方向の矢印方向に回転させようとしたときは、カム板１０２の外径１０１ｂを付勢部材１０４の付勢力により圧接したまま、回転可能であるが、巻上げノブ１０１を時計方向に回転させようとしたときは、カム板１０２の先端が外径１０１ｂと突っ張り、巻上げノブ１０１を回転することができない。
【００６１】
最後に、スプリングクラッチについて、図１５により説明する。巻上げノブ１１１とカメラ本体１１２の間にはつる巻きバネ１１３が配置されている。つる巻きバネ１１３はその一端１１３ａが巻上げノブ１１１に固着され、左巻きにカメラ本体１１２に巻き付いている。従って、巻上げノブ１１１によりフィルム巻上げを行うときは、つる巻きバネ１１３がカメラ本体１１２に対して緩む方向なので、つる巻きバネ１１３によって何ら規制されることなく巻上げ可能であるが、巻上げノブ１１１を逆回転させようとすると、つる巻きバネ１１３がカメラ本体１１２を締め付けるので、巻上げノブ１１１を回転させることができない。
【００６２】
〔第８の実施の態様〕
第８の実施の態様を図１６乃至図１８に示す。図１６は本実施の態様におけるフィルム巻上げ中の巻上げノブ等の平面図、図１７は本実施の態様を上方から見た斜視図である。
【００６３】
巻上げノブ１２１には、巻上げノブ１２１と同心にて円形な弾性部材１２４が一体的に形成されており、フィルム巻上げのために巻上げノブ１２１を回転させると弾性部材１２４も共に回転する。また、先端部を鋭角状に形成した逆転防止爪１２２が配置され、逆転防止爪１２２の先端部１２２ａを弾性部材１２４の側面部１２４ａに圧接している。また、逆転防止爪１２２の固定部１２２ｂは、巻上げノブ１２１の回転中心１２１ａと逆転防止爪１２２の先端部１２２ａとを結んで延長した直線より、巻上げノブ１２１のフィルム巻上げ方向Ａの上流側、即ちＢの領域に位置している。
【００６４】
かかる構成で、巻上げノブ１２１を巻上げ方向Ａに回転させるときは、逆転防止爪１２２の先端部１２２ａは弾性部材１２４の側面部１２４ａより退避する方向に作動するので、巻上げノブ１２１を支障なく巻き上げることができる。また、逆転防止爪１２２が振動することもないので、巻き上げ時に発生する音は非常に小さい。ここで、巻上げノブ１２１を巻上げ方向Ａと逆方向に回転させようとすると、逆転防止爪１２２の先端部１２２ａが弾性部材１２４の側面部１２４ａを弾性変形させて食い付き、巻上げノブ１２１を逆回転させることはできない。従って、巻上げノブ１２１は一方向にのみしか回転することができない。
【００６５】
なお、弾性部材１２４の材質としては、ゴムが最適であり、アクリルニトリル・ブタジェン・ラバー、天然ゴム、エチレン・プロピレン・ラバー等が好適である。
【００６６】
なお、弾性部材としては、図１８の斜視図に示すような環状の弾性部材１３４を用いてもよい。
【００６７】
また、逆転防止爪１２２を弾性部材１２４の側面部１２４ａに圧接するのではなく、弾性部材１２４の上面部１２４ｂを圧接するようにしてもよい。
【００６８】
〔第９の実施の態様〕
第９の実施の態様を図１９に示す。図１９は本態様における巻上げノブを回転させないときの平面図である。
【００６９】
巻上げノブ１４１の近傍には、カメラ本体若しくはカメラ本体に固着した部材の壁部１４４が設けられており、巻上げノブ１４１の側壁１４１ａと壁部１４４の側壁１４４ａとにより、巻上げノブ１４１の回転方向Ａと逆方向に狭くなる略Ｖ字形の空間が形成されている。この空間に、逆転防止部材１４２において楔状に形成された先端部１４２ａをＢ方向に押圧する。
【００７０】
かかる構成で、巻上げノブ１４１を巻上げ方向Ａに回転させるときは、巻上げノブ１４１の回転力により先端部１４２ａはＢ方向と逆方向に退避する力が作用し、巻上げノブ１４１を支障なく巻き上げることができる。また、逆転防止部材１４２が振動することもないので、巻き上げ時に発生する音は非常に小さい。ここで、巻上げノブ１４１を巻上げ方向Ａと逆方向に回転させようとすると、巻上げノブ１４１の逆回転力により先端部１４２ａをＢ方向に作動させる力が作用し、逆転防止部材１４２の先端部１４２ａが楔となって、巻上げノブ１４１の側壁１４１ａと壁部１４４の側壁１４４ａとの間に挿入されるので、巻上げノブ１４１の逆回転を阻止することになる。従って、巻上げノブ１４１は一方向にのみしか回転することができない。
【００７１】
〔第１０の実施の態様〕
第１０の実施の態様を図２０に示す。図２０は本実施の態様における巻上げノブ等の図であり、図２０（Ａ）は縦断面図、図２０（Ｂ）はＨ−Ｈ断面図である。
【００７２】
巻上げノブ１５１はカメラ本体１５２と嵌合しており、巻上げノブ１５１の内周面には複数の鋸歯１５１ａが形成され、複数の鋸歯１５１ａより内周に位置するカメラ本体１５２の壁部には、複数の逆転防止爪１５２ａが設けられており、複数の鋸歯１５１ａと複数の逆転防止爪１５２ａとが各々係合している。
【００７３】
従って、図２０（Ａ）より容易に分かるように、巻上げノブ１５１を巻上げ方向であるＡ方向に回転させるときは、巻上げに支障なく、巻上げノブ１５１を逆回転させようとすると、複数の鋸歯１５１ａが複数の逆転防止爪１５２ａにより係止され、逆回転はできない。
【００７４】
ここで、逆転防止爪１５２ａは図３に示した従来の１本の逆転防止爪２５とは異なり、非常に多数の本数を設けてあるので、その形状は小さく、厚みも薄い。従って、音質が変わって従来の如き耳障りな振動音にはならない。
【００７５】
更に、音声が発生する部分に関しては、従来の逆転防止爪２５が巻上げノブ１８の外部に設けられているので、振動音が直接聞こえたが、本態様においては、逆転防止爪１５２ａが巻上げノブ１５１の内部に設けられているので、外部に聞こえる音は小さくなる。その上、カメラ本体１５２に障壁１５２ｂを設けると、外部に聞こえる音は一層小さくなる。
【００７６】
なお、上記の実施の態様とは逆に、複数の鋸歯をカメラ本体に設け、複数の逆転防止爪を巻上げノブに設けてもよい。
【００７７】
更に、複数の鋸歯と複数の逆転防止爪は、円周方向でなく、巻上げノブの回転軸と平行な方向に設けてもよい。
【００７８】
また、複数の鋸歯若しくは複数の逆転防止爪を設ける部材は、カメラ本体そのものでなくても、カメラ本体に固着した部材でもよいことは言うまでもない。
【００７９】
【発明の効果】
本発明の請求項１〜３によれば、フィルム巻上げ時に逆転防止爪を巻上げノブより退避させるので、逆転防止爪による耳障りな振動音の発生がない。従って、静粛が求められる場所でも自由に撮影することができる。
【図面の簡単な説明】
【図１】レンズ付きフィルムユニットを前方から見た斜視図である。
【図２】レンズ付きフィルムユニットを後方から見た斜視図である。
【図３】巻上げノブの逆回転を防止する従来の機構の図である。
【図４】第１の実施の態様におけるフィルム巻上げ中の巻上げノブ等の図である。
【図５】第１の実施の態様における解除部材の他の実施の態様である。
【図６】第２の実施の態様におけるフィルム巻上げ中の巻上げノブ等の平面図である。
【図７】第３の実施の態様におけるフィルム巻上げ中の巻上げノブ等の平面図である。
【図８】第４の実施の態様におけるフィルム巻上げ中の巻上げノブ等の平面図である。
【図９】第５の実施の態様におけるフィルムを巻き上げる前の巻上げノブの平面図である。
【図１０】第５の実施の態様におけるフィルムを巻き上げる前の巻上げノブの平面図である。
【図１１】第６の実施の態様における巻上げノブと逆転防止爪の平面図である。
【図１２】第７の実施の態様における楔クラッチに関する平面断面図である。
【図１３】第７の実施の態様における摩擦部材の１例の平面図である。
【図１４】第７の実施の態様におけるカムクラッチに関する平面図である。
【図１５】第７の実施の態様におけるスプリングクラッチに関する縦断面図である。
【図１６】第８の実施の態様におけるフィルム巻上げ中の巻上げノブ等の平面図である。
【図１７】第８の実施の態様を上方から見た斜視図である。
【図１８】第８の実施の態様の変形例を上方から見た斜視図である。
【図１９】第９の実施の態様における巻上げノブを回転させないときの平面図である。
【図２０】第１０の実施の態様における巻上げノブ等の図である。
【符号の説明】
１８，３１，４１，５１，６１，７１，８１，９１，１０１，１１１，１２１，１４１，１５１  巻上げノブ
１８ａ，３１ａ，４１ａ，５１ａ，６１ａ，７１ａ，８１ａ，９１ａ，１０１ａ，１５１ａ  鋸歯
２５，３２，４２，５２，６２，７２，８２，１２２，１５２ａ  逆転防止爪
３３，４３，５３  解除部材
６３  カム部材
８２ａ  操作部
９１ｂ  孔
９２，１１２  カメラ本体
９３  ボール
１０２  カム板
１１３  つる巻きバネ
１２４  弾性部材
１４２  逆転防止部材
【図１】
0003687154.tif 000002
【図２】
0003687154.tif 000003
【図３】
0003687154.tif 000004
【図４】
0003687154.tif 000005
【図５】
0003687154.tif 000006
【図６】
0003687154.tif 000007
【図７】
0003687154.tif 000008
【図８】
0003687154.tif 000009
【図９】
0003687154.tif 000010
【図１０】
0003687154.tif 000011
【図１１】
0003687154.tif 000012
【図１２】
0003687154.tif 000013
【図１３】
0003687154.tif 000014
【図１４】
0003687154.tif 000015
【図１５】
0003687154.tif 000016
【図１６】
0003687154.tif 000017
【図１７】
0003687154.tif 000018
【図１８】
0003687154.tif 000019
【図１９】
0003687154.tif 000020
【図２０】
0003687154.tif 000021